(57)【要約】【課題】狭い場所、広い場所の掃除の切り替えが容易で、使用勝手の良い電気掃除機用吸込具を提供する。【解決手段】床ノズル１１と、前記床ノズル１１に着脱自在に装着される小型ノズル１０とを備え、前記小型ノズル１０の吸気ヘッド４０を前記床ノズル１１に装着する構成とし、前記吸気ヘッド４０を前記床ノズル１１に装着したときには、前記吸気ヘッド４０内は前記床ノズル１１と連通する構成とするとともに、前記小型ノズル１０に、塵埃をかき出すための回転子１５ａ、１５ｂを設けたもので、前記小型ノズル１０を用いて狭い場所を掃除する際にも、回転子１５ａ、１５ｂで塵埃を効率良く掻き出すことができる。【選択図】  図２
2004329601.tif 000002
【特許請求の範囲】
【請求項１】
床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記小型ノズルに、塵埃をかき出すための回転子を少なくとも１つ以上設けた電気掃除機用吸込具。
【請求項２】
小型ノズルは、吸気ヘッドと前記吸気ヘッドに接続された連結部と、前記連結部に接続された連結管とから構成され、前記連結部は、前記吸気ヘッドに対して前記連結管を上下方向及び左右方向に回動自在に連結する回動連結手段である請求項１記載の電気掃除機用吸込具。
【請求項３】
小型ノズルの床ノズルからの離脱時に、回動連結手段の回転方向の回動をロックする回転方向回動係止手段を設けた請求項２記載の電気掃除機用吸込具。
【請求項４】
床ノズルに小型ノズルを収納する収納凹部を設け、前記収容凹部内に、前記小型ノズルの把持とその解放により前記小型ノズルを前記床ノズルより離脱する小型ノズル着脱手段を設けた請求項１〜３のいずれか１項記載の電気掃除機用吸込具。
【請求項５】
床ノズルに、小型ノズル着脱手段の把持状態を解放状態に切り換える操作レバーを設けた請求項４記載の電気掃除機用吸込具。
【請求項６】
回転子は、モータを駆動源として回転する請求項１〜５のいずれか１項に記載の電気掃除機用吸込具。
【請求項７】
回転子は、小型ノズル内に流れ込む気流および／または前記小型ノズル内を流れる気流により回転する請求項１〜５のいずれか１項記載の電気掃除機用吸込具。
【請求項８】
回転子の表面に起毛布を設け、前記起毛布に直接気流が当たることで、回転子が回転する請求項７記載の電気掃除機用吸込具。
【請求項９】
起毛布の繊維を倒伏させるとともに、前記倒伏している繊維の先端側から、気流を起毛布に当てる請求項８記載の電気掃除機用吸込具。
【請求項１０】
起毛布の繊維を、一方向に倒伏させた請求項９記載の電気掃除機用吸込具。
【請求項１１】
回転子の回転軸に対して、略垂直に起毛布の繊維を倒伏させた請求項９または１０記載の電気掃除機用吸込具。
【請求項１２】
起毛布を回転子の外周に螺旋状に巻きつけた請求項８〜１１のいずれか１項に記載の電気掃除機用吸込具。
【請求項１３】
回転子に気流を当てるための風受部を設けた請求項７〜１２のいずれか１項に記載の電気掃除機用吸込具。
【請求項１４】
小型ノズル内に流れ込む気流の流量を調節する風量調節部を有する請求項７〜１３のいずれか１項に記載の電気掃除機用吸込具。
【請求項１５】
掃除機本体が内蔵する吸引風を発する電動送風機に、請求項１〜１４のいずれか１項に記載の電気掃除機用吸込具が連通する電気掃除機。
【発明の詳細な説明】
【０００１】
【発明の属する技術分野】
本発明は、塵埃を吸引する電気掃除機用吸込具およびそれを用いた電気掃除機に関するものである。
【０００２】
【従来の技術】
従来この種の吸込具及び電気掃除機は、掃除機本体からの延長管の先端に上下動自在な連結部を介してブラシノズルを取りつけ、このブラシノズルを吸込具本体の上面に設けた連結口に回動かつ着脱自在に接続した構成となっている。そして吸込具本体では掃除しにくい狭い場所を掃除する際には吸込具本体から下方開口の吸込口を有し、吸込口の周囲にブラシを設けたブラシノズルを離脱させ、このブラシノズルで掃除を行うようになっていた。
【０００３】
また広い場所を掃除するときには、ブラシノズルを吸込具本体に装着して掃除を行うようになっており、この場合、吸込具本体はブラシノズルが吸込具本体に対して回動自在であって、延長管に対して上下動自在としてあるため、吸込具本体を従来と同様上下、左右に回動させて掃除をすることができる。（例えば、特許文献１参照）。
【０００４】
【特許文献１】
特開２００１−３１４３５８号公報
【０００５】
【発明が解決しようとする課題】
しかしながら上記従来の構成では、被掃除面に対してはブラシしか設けられておらず、集塵性能が低かった。
【０００６】
本発明は上記従来の課題を解決するもので、床ノズルに小型ノズルを着脱自在に接続できるノズルにおいて集塵性能が高い電気掃除機用吸込具および電気掃除機を提供することを目的としている。
【０００７】
【課題を解決するための手段】
上記目的を達成するために本発明は、床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記小型ノズルに、塵埃をかき出すための回転子を少なくとも１つ以上設けたもので、小型ノズルを用いて床ノズルでは無理な狭い場所の掃除ができ、また、塵埃をかき出すための回転子を備えているため、集塵性能が高い吸込具を提供することができる。
【０００８】
【発明の実施の形態】
本発明の請求項１に記載の発明は、床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記小型ノズルに、塵埃をかき出すための回転子を少なくとも１つ以上設けたもので、小型ノズルを用いて床ノズルでは無理な狭い場所の掃除ができ、また塵埃をかき出すための回転子を備えているため、集塵性能が高い吸込具を提供することができる。
【０００９】
本発明の請求項２に記載の発明は、小型ノズルは、吸気ヘッドと前記吸気ヘッドに接続された連結部と、前記連結部に接続された連結管とから構成され、前記連結部は、前記吸気ヘッドに対して前記連結管を上下方向及び左右方向に回動自在に連結する回動連結手段であるもので、手元からの床ノズルの方向転換や掃除角度が自在で、床ノズルを用いた床面の掃除が容易となる。
【００１０】
本発明の請求項３に記載の発明は、小型ノズルの床ノズルからの離脱時に回動連結手段の回転方向の回動をロックする回転方向回動係止手段を設けたもので、小型ノズルを用いた時の掃除動作が安定する。
【００１１】
本発明の請求項４に記載の発明は、床ノズルに小型ノズルを収納する収納凹部を設け、前記収容凹部内に、前記小型ノズルの把持とその解放により前記小型ノズルを前記床ノズルより離脱する小型ノズル着脱手段を設けたもので、小型ノズルの着脱が容易で且つ装着された小型ノズルを床ノズルに安定して固定することができる。
【００１２】
本発明の請求項５に記載の発明は、床ノズルに、小型ノズル着脱手段の把持状態を解放状態に切り換える操作レバーを設けたもので、床ノズルに固定状態に装着された小型ノズルを離脱させる動作を足踏みによって行い、腰を屈めることなく小型ノズルの離脱操作が可能となる。
【００１３】
本発明の請求項６に記載の発明は、回転子は、モータを駆動源として回転するもので、気流により回転させるものより回転数が安定しより大きな力で被掃除面の塵埃をかきあげることができ集塵性能の高い吸込具を提供することができる。
【００１４】
本発明の請求項７に記載の発明は、回転子は、小型ノズル内に流れ込む気流および／または前記小型ノズル内を流れる気流により回転するもので、電動機等の機械的駆動源が不要であり、小型、軽量、低価格で集塵性能の高い吸込具を提供することができる。
【００１５】
本発明の請求項８に記載の発明は、回転子の表面に起毛布を設け、前記起毛布に直接気流が当たることで、回転子が回転するもので、起毛布のみの構成でその他に機構部品を用いないため構造が単純で、信頼性が高く低価格な吸込具を提供することができる。
【００１６】
本発明の請求項９に記載の発明は、起毛布の繊維を倒伏させるとともに、前記倒伏している繊維の先端側から、気流を起毛布に当てるもので、倒伏している繊維の先端側から、気流を起毛布に当てることで、倒伏している繊維が風受けとなり、強い回転力が得られ、拭き、掃き、磨き性能が高い吸込具を提供することができる。
【００１７】
本発明の請求項１０に記載の発明は、起毛布の繊維を、一方向に倒伏させたもので、起毛布の繊維全体が風受けとなることで、より強い回転力が得られ、拭き、掃き、磨き性能が高い吸込具を提供することができる。
【００１８】
本発明の請求項１１に記載の発明は、回転子の回転軸に対して、略垂直に起毛布の繊維を倒伏させたもので、倒伏している繊維が風受けとなり、強い回転力が得られ、拭き、掃き、磨き性能が高い吸込具を提供することができる。
【００１９】
本発明の請求項１２に記載の発明は、起毛布を回転子の外周に螺旋状に巻きつけたもので、起毛布を螺旋状に巻きつけることにより、起毛布のつなぎ目に気流が入り易くなることで、風を受けやすくなり、より大きな回転力が得られ拭き、掃き、磨き性能が高い吸込具を提供することができる。
【００２０】
本発明の請求項１３に記載の発明は、回転子に気流を当てるための風受部を設けたもので、起毛布だけでなく、風を受けても変形せず漏れのない羽根等の風受部によっても風を受けることができるため、より大きな回転力が得られ拭き、掃き、磨き性能が高い吸込具を提供することができる。
【００２１】
本発明の請求項１４に記載の発明は、小型ノズル内に流れ込む気流の流量を調節する風量調節部を有するもので、風量が大きい時は、小型ノズル内に設けられた吸込室内を開放に近づけ回転子の回転数を下げることで騒音防止、また、風量が少ない時は、吸込室内を密閉に近づけ回転子の回転数を上げることで、使用性および拭き、掃き、磨き性能の向上が実現できる。
【００２２】
本発明の請求項１５に記載の発明は、掃除機本体が内蔵する吸引風を発する電動送風機に、請求項１〜１４のいずれか１項に記載の電気掃除機用吸込具が連通する電気掃除機で、使用性の高い電気掃除機を提供できる。
【００２３】
【実施例】
（実施例１）
以下、本発明の第１の実施例を、図１〜図４を用いて説明する。
【００２４】
本実施形態は、図１に示すような床移動型の電気掃除機１及びその塵埃吸込口となる吸込具３について示すものである。この電気掃除機１は、先端に吸込具３を着脱可能に装着した延長管２は、手元ハンドル（手元操作筒）４に連結され、手元ハンドル４から延出するホース６はホース継ぎ手５によって掃除機本体７に連結されている。
【００２５】
上記吸込具３は、図２（ａ）、（ｂ）に示すように、床ノズル１１とそれに着脱自在に装着される小型ノズル１０からなり、小型ノズル１０は、前記延長管２に連結するための連結部となる連結管９と、後方が前記連結管９に上下傾動自在に接続され前部が吸気ヘッド４０に回転自在に連結された回動連結部（回動連結手段）８を備えている。
【００２６】
床ノズル１１に対する小型ノズル１０の着脱は、床ノズル１１に設けられた操作レバー１３を押し下げることにより小型ノズル１０を把持する保持具１２の把持状態が解放されて小型ノズル１０を床ノズル１１から離脱させることができ、小型ノズル１０を用いて狭い場所の掃除ができ、保持具１２内に小型ノズル１０を載せて軽く押圧することにより小型ノズル１０は床ノズル１１に装着され、床ノズル１１を用いて床面の掃除を効率よく行なうことができる。
【００２７】
上記床ノズル１１は、図３に内部構成を示すように、所謂パワーノズルとして構成され、ブラシ（図示せず）とゴムブレード（図示せず）とを回転軸２０ａに取り付けた回転ブラシ２０をモータ２１によって回転駆動し、絨毯等から塵埃を掻き出す機能を備えている。
【００２８】
次に、床ノズル１１に対する小型ノズル１０の着脱構造について、図４及び図５を参照して説明する。
【００２９】
図４及び図５において、床ノズル１１に形成された小型ノズル収納凹部２６内には、その断面形状に沿うように保持具（小型ノズル着脱手段）１２が配設されている。保持具１２はその中央のヒンジ部分で左右一対に接続され、図４に示す解放状態と、図５に示す把持状態とに切り換え操作することができ、その操作は前記操作レバー１３の押し下げにより、図４に示す解放状態、即ち小型ノズル１０の離脱状態とし、保持具１２内に小型ノズル１０を押し入れることにより、図５に示す把持状態、即ち小型ノズル１０の装着状態とすることができる。
【００３０】
図４に示す離脱状態では、保持具１２は中央のヒンジ部分から左右に展開した状態にあり、保持具１２内に小型ノズル１０を押し入れると、ヒンジ部分の中央部に配設された押圧部材２９が押圧されて下がるので、保持具１２は小型ノズル収納凹部２６の底面側に下り、図５に示すように、小型ノズル１０の吸気ヘッド４０部位を包み込むように把持する。前記押圧部材２９の下降と共に、それに連結された駆動部材３２が支持部材３１に軸支されたロッド３０の一端を押し下げるので、ロッド３０の他端に設けられた操作レバー１３は、図５に示すように上昇位置になる。上記押圧部材２９、ロッド３０、支持部材３１、駆動部材３２は、保持具１２と共に小型ノズル着脱手段３８を構成する。なお、操作レバー１３は、支持部材３１および駆動部材３２の回動支点を中心に、弾性材（ばね）３１ａにて常に上方に付勢されている。
【００３１】
この保持具１２による小型ノズル１０の装着状態をより確実にするためには、図示するように小型ノズル１０の両側面に外方に付勢された係止ピン３３を設け、これに対応して保持具１２に係止凹部３４を形成すると、小型ノズル１０が保持具１２内に押し入れられたとき、係止ピン３３が係止凹部３４内に嵌り込み、床ノズル１１に対する小型ノズルの安定した装着状態が得られる。尚、保持具１２には、小型ノズル１０に設けられた起毛布１４を収容するための起毛布収納凹部３５が形成され、小型ノズル１０の装着状態で起毛布１４が押し潰されて変形し、その機能が損なわれることを防止している。
【００３２】
図５に示す床ノズル１１に対する小型ノズル１０の装着状態から小型ノズル１０を離脱させるには、上昇位置にある操作レバー１３を押し下げると、ロッド３０が支持部材３１を支点として回動し、駆動部材３２により保持具１２のヒンジ部分を押し上げるので、保持具１２が開くと同時に押圧部材２９によって小型ノズル１０が押し上げられ、小型ノズル１０を床ノズル１１から離脱させることができる。
【００３３】
前述したように、小型ノズル１０には吸気ヘッド４０と連結管９との間を上下方向及び左右方向に回動自在に連結する回動連結部８が設けられており、図２に示すように、小型ノズル１０が床ノズル１１に装着された状態では、図１に示すように連結管９に延長管２を介して連結された手元ハンドル４の上げ下げに対応して連結管９が上下に傾動する。また、手元ハンドル４を回動させる動き、即ち床ノズル１１の進路方向を左右いずれかの方向に変更するハンドル操作がなされるときには、進路方向に手元ハンドル４を回動させる動きが自然になされるので、回動連結部８に軸の回動が加わると、床ノズル１１の後方側に回動連結部８があるため軸の回動方向に床ノズル１１が回動する動きが働き、スムーズに床ノズル１１の進路変更がなされる。
【００３４】
小型ノズル１０を床ノズル１１から離脱させた状態では、小型ノズル１０が回転方向に動くと扱い難くなるので、回動連結部８の回転方向の動きをロックする回転方向回動係止手段（図示せず）を設けることができる。前記回転方向回動係止手段は、バネ付勢された係止部材（図示せず）を設け、小型ノズル１０が床ノズル１１に装着された状態では、床ノズル１１側に設けた係止解除手段（図示せず）によりバネ付勢に抗して係止部材を回転方向回動の係止状態から外すように構成すると、小型ノズル１０が床ノズル１１に装着された状態では回転方向回動係止手段は機能しないため、床ノズル１１の上下及び回転方向の自在回動が可能となり、小型ノズル１０を床ノズル１１から離脱させると回転方向回動係止手段が機能して小型ノズル１０の回転方向の回動をロックさせることができる。
【００３５】
上記構成による吸込具３を用いた電気掃除機１は、小型ノズル１０を床ノズル１１に装着した状態にすると、幅広の床ノズル１１により一般的な電気掃除機と同様に床面の掃除を効率よく行なうことができ、床ノズル１１が入らない狭い場所や階段などを掃除する必要に応じて操作レバー１３を足踏みすると、腰を屈めることなく床ノズル１１から小型ノズル１０を離脱させることができ、小型ノズル１０を用いた掃除ができるので、先端ノズルを付け替える面倒な作業は解消される。また、小型ノズル１０を離脱させた床ノズル１１は床面にあるので、任意に床ノズル１１に小型ノズル１０を押し入れると即座に床掃除に変更することができる。
【００３６】
上記実施例では、床移動型の電気掃除機を例に挙げたが、手元ハンドル付きの小型掃除機本体に短い管路で吸込具を取り付けたハンドクリーナと称される電気掃除機に本実施形態の構成の吸込具３を適用することもでき、ハンドクリーナとしての機能を向上させることができる。
【００３７】
小型ノズル１０は、図６に示すように、極細繊維の紡績布からなるカット繊維状の起毛布を螺旋状に巻きつけた２個の回転子１５ａ、１５ｂを、塵埃を吸引する開口を有する吸込室７に臨んで回転自在に設けている。回転子１５ａ、１５ｂの外周に巻き付けられた起毛布の繊維は、図７に示すように、回転軸１５ｃに対して略垂直方向（回転方向とは反対方向）の一方向に倒伏されており、かつ螺旋状に巻きつけられている。また、図８に示すように、小型ノズル１０の先端部には、一端が軸支され開口１７ａを開閉可能なように、風量調節部である風量調節弁９が設けられ、弾性体なるバネ１８によって保持されている。
【００３８】
なお、本実施例においては、回転子は２個設けられているが、１個でも、また２個以上を有していても、以下に述べる拭き、掃き効果は十分発揮できる。
【００３９】
上記構成における動作は、以下の通りである。
【００４０】
掃除機本体７を動作させると、前記掃除機本体７に内蔵されている電動送風機（図示せず）が作動し、吸込室１６に向かって吸引風ａが流れる。その後、前記吸引風ａは、回転子１５ａ、１５ｂの起毛布に衝突することで、風圧により回転子１５ａ、１５ｂを回転させる。なお、本実施例においては、被掃除面と小型ノズル１０の下面の隙間より、前記吸込室１６へと流入する吸引風ａによって回転させるものであるが、さらに、前記吸込具３の側面に開口を設け、前記開口より吸引風ａを前記吸込室１６内に流入させ、前記吸込室１６内に流入させた吸引風により、前記回転子１５ａ、１５ｂを回転させる構成としてもよい。
【００４１】
また、回転子１５ａ、１５ｂの外周に巻き付けられた起毛布の繊維は、回転軸１５ｃに対して略垂直方向（回転方向とは反対方向）に倒伏されており、吸引風ａは、その倒伏された起毛布の先端側から、前記回転子１５ａ、１５ｂに衝突するため、倒伏している繊維が風受けとなり、強い回転力が得られる。なお、吸引風ａは、その倒伏された起毛布の先端側から、前記回転子１５ａ、１５ｂに衝突するが、起毛布の繊維の根元側から吸引風ａが流入しなければ、回転力は得られるが、前記起毛布の先端に対して、吸引風ａが左右方向に各々略４５°の範囲で流入するのが望ましい。
【００４２】
また、風量調節弁１７は、開口１７ａより吸引風により押され、吸込室１６の前方が開き、バネ１８と力のバランスが取れる位置で静止する。これにより、風量が大きい時は吸込室１６内を開放に近づけ、回転子１５ａ、１５ｂの回転数を下げることによる騒音防止、または風量が少ない時は、吸込室１６内を密閉に近づけ回転子１５ａ、１５ｂの回転数を上げることにより、拭き、掃き、磨き性能の向上が実現できる。また、風量調節弁１７は、床ノズル１１に小型ノズル１０を装着されると全開に開き空気流路を形成する。
【００４３】
以上により、本実施例においては、外周に起毛布を巻き付けた回転子１５ａ、１５ｂを、空気の流れだけで回転させることができるため、モータ等の機械的駆動源が不要であり、小型、軽量、低価格で拭き、掃き、磨き性能が高い吸込具を提供することができる。
【００４４】
また、起毛布の繊維に直接空気を当てて回転させるため、起毛布のみの構成でその他に機構部品を用いないため、構造が単純で、信頼性が高く低価格な吸込具を提供することができる。
【００４５】
また、起毛布の繊維を、回転軸に対して略垂直方向（回転方向とは反対方向）に倒伏させることにより、風圧を受けることができることで、風を受けやすくなり、より大きな回転力が得られ拭き、掃き、磨き性能が高い吸込具を提供することができる。
【００４６】
次に、起毛布の繊維を、一方向（回転軸に対して略垂直方向（回転方向とは反対方向））に倒伏させることによって、空気が当たった時だけ繊維が起き、風車のように風を受けやすくなり、より大きな回転力が得られ拭き、掃き、磨き性能が高い吸込具を提供することができる。
【００４７】
また、起毛布を回転子の外周に螺旋状に巻きつけたもので、起毛布を螺旋状に巻きつけることにより、起毛布のつなぎ目に向かって気流が衝突することで、風を受けやすくなり、より大きな回転力が得られ拭き、掃き、磨き性能が高い吸込具を提供することができる。
【００４８】
（実施例２）
次に、本発明の第２の実施例を図９を用いて説明する。なお、上記実施例と同一構成部品には同一符号を付し、その説明は省略する。
【００４９】
図５において、回転子１５ａは起毛布とともに、風受部なる羽根１２を具備している。
【００５０】
上記構成における動作は以下の通りである。
【００５１】
掃除機本体７を動作させたとき発生した吸引風は、回転子１５ａ、１５ｂの起毛布とともに、羽根１９に風圧による動力を伝達することで、前記回転子１５ａ、１５ｂは回転し、被掃除面の塵埃を拭き、掃き、磨いた後、塵埃は、延長管２、手元ハンドル４、ホース６、ホース継ぎ手５を通して掃除機本体７に吸引される。
【００５２】
起毛布の繊維以外に、回転子１５ａを回転させるために、空気を当てるための羽根１９を設けることにより、起毛布だけでなく風を受けても変形せず漏れのない羽根によって風を受けることができるため、より大きな回転力が得られ拭き、掃き、磨き性能が高い吸込具を提供することができる。
【００５３】
なお、本実施例では回転子１５ａに羽根１２を直接設け動力を伝達する構成としたが、羽根１９が前記回転子１５ａに直接設けられてなく、ベルト等の伝達機構を用いて回転子１５ａに動力を伝達するものであっても同様の効果が得られるものである。
【００５４】
（実施例３）
次に、本発明の第３の実施例を図１０を用いて説明する。なお、上記実施例と同一構成部品には同一符号を付し、その説明は省略する。
【００５５】
図１０に示すように、回転子１５ａ、１５ｂをギア２３、２４を介してモータ２２で回転するようにしている。
【００５６】
上記構成における動作は以下の通りである。
【００５７】
掃除機本体７を動作させたときモータ２２に電力が供給され、回転子１５ａ、１５ｂは回転し、被掃除面の塵埃を拭き、掃き、磨いた後、塵埃は、延長管２、手元ハンドル４、ホース６、ホース継ぎ手５を通して掃除機本体７に吸引される。
【００５８】
本実施例によれば、気流により回転させるものより回転数が安定しより大きな力で被掃除面の塵埃をかきあげることができ集塵性能の高い吸込具を提供することができる。
【００５９】
なお、本実施例では回転子１５ａ、１５ｂにギア２３、２４を用いて動力を伝達させたが、ベルト等の伝達機構を用いて回転子１５ａ、１５ｂに動力を伝達するものであっても同様の効果が得られるものである。また、回転子の表面は起毛布を用いたが、ブラシ、フェルト等を用いることもできる。
【００６０】
【発明の効果】
以上のように本発明によれば、小型ノズルを用いて床ノズルでは無理な狭い場所の掃除ができ、また塵埃をかき出すための回転子を備えているため、集塵性能が高い吸込具を提供することができる。
【図面の簡単な説明】
【図１】本発明の第１の実施例を示す電気掃除機用吸込具を接続した電気掃除機の斜視図
【図２】（ａ）同電気掃除機用吸込具の平面図
（ｂ）同電気掃除機用吸込具の側面図
【図３】同電気掃除機用吸込具の内部構成を示す平面図
【図４】同電気掃除機用吸込具の着脱構造を説明する離脱状態の断面図
【図５】同電気掃除機用吸込具の着脱構造を説明する装着状態の断面図
【図６】同電気掃除機用吸込具の小型ノズルの下面図
【図７】同電気掃除機用吸込具の小型ノズルの回転子の斜視図
【図８】同電気掃除機用吸込具の小型ノズルの側断面図
【図９】本発明の第２の実施例を示す電気掃除機用吸込具の回転子の斜視図
【図１０】本発明の第３の実施例を示す電気掃除機用吸込具の小型ノズルの下面図
【符号の説明】
１    電気掃除機
２    延長管（管路）
３    吸込具
７    掃除機本体
８    回動連結部（回動連結手段）
９    連結管（連結部）
１０  小型ノズル
１１  床ノズル
１２  保持具
１３  操作レバー
２２  モータ
２７  連通口
３８  小型ノズル着脱手段
４０  吸気ヘッド
【図１】
2004329601.tif 000003
【図２】
2004329601.tif 000004
【図３】
2004329601.tif 000005
【図４】
2004329601.tif 000006
【図５】
2004329601.tif 000007
【図６】
2004329601.tif 000008
【図７】
2004329601.tif 000009
【図８】
2004329601.tif 000010
【図９】
2004329601.tif 000011
【図１０】
2004329601.tif 000012